(57)【要約】【課題】操作手段からの入力受付や炊飯終了などを報知する機能を有する炊飯器において、使用者が報知を必要としない時は条件に応じて自動で異常報知を除く報知音をなくして、使用者の煩わしさを解消し、使用者に余計な手間をかけさせずに使い勝手を向上する。【解決手段】炊飯器本体内に米と水を入れる鍋１を着脱自在に収納し、この鍋１を鍋加熱手段２により加熱し、操作手段４により炊飯開始やコース選択などの情報を入力し、炊飯情報などを表示手段５により表示するとともに、操作手段４からの入力受付や炊飯終了、異常発生などを報知手段６により報知し、操作手段４からの入力に基づき鍋加熱手段２や表示手段５、報知手段６を制御手段３により制御する。制御手段３は、異常発生時以外の報知についての報知音の有無を条件に応じて自動で設定するように構成する。【選択図】図１
2009106407.tif 000002
【特許請求の範囲】
【請求項１】
炊飯器本体内に着脱自在に収納され米と水を入れる鍋と、前記鍋を加熱する鍋加熱手段と、炊飯開始やコース選択などの情報を入力する操作手段と、炊飯情報などを表示する表示手段と、前記操作手段からの入力受付や炊飯終了、異常発生などを報知する報知手段と、前記操作手段からの入力に基づき前記鍋加熱手段や前記表示手段、前記報知手段を制御する制御手段とを備え、前記制御手段は、異常発生時以外の報知についての報知音の有無を条件に応じて自動で設定するように構成した炊飯器。
【請求項２】
制御手段は、炊飯終了時などの動作終了報知音の有無を条件に応じて自動で設定するようにした請求項１記載の炊飯器。
【請求項３】
制御手段は、操作手段からの入力受付報知音の有無を条件に応じて自動で設定するようにした請求項１または２記載の炊飯器。
【請求項４】
制御手段は、時刻により報知音の有無を自動で設定するようにした請求項１〜３のいずれか１項に記載の炊飯器。
【請求項５】
記憶手段を備え、制御手段は、報知音をなくす時刻の条件を複数記憶できるようにした請求項４記載の炊飯器。
【請求項６】
明度検知手段を備え、制御手段は、前記明度検知手段により検知した明度を基に報知音の有無を自動で設定するようにした請求項１〜５のいずれか１項に記載の炊飯器。
【請求項７】
制御手段は、報知音なしの設定の場合、報知するタイミングになった時に報知音の代わりに所定の表示を行うように表示手段を制御するようにした請求項１〜６のいずれか１項に記載の炊飯器。
【請求項８】
制御手段は、報知音なしの設定の時には、その旨を表示するように表示手段を制御するようにした請求項１〜７のいずれか１項に記載の炊飯器。
【発明の詳細な説明】
【技術分野】
【０００１】
本発明は、操作手段からの入力受付や炊飯終了などを報知する機能を有する炊飯器に関するものである。
【背景技術】
【０００２】
近年の電化機器では、機器の動作終了音やキーの受付音など音で報知して、使用者に機器の状態をお知らせするようになっている。炊飯器でも、炊飯終了時やキー受付時などにはブザーなど音で報知することにより、使用者の使い勝手の向上を図っている。しかし、この報知機能も各開発メーカーがそれぞれ独自に報知音を設定しているため、他機種と類似していたり、使用者の好みに合わなかったりと使用者を十分に満足させるものとは限らなかった。
【０００３】
そこで、従来の炊飯器では、ブザーの報知パターンを変えたり、ブザーをメロディーに変えたりなど使用者が報知音を自由に設定することができるようにして、他の機器との差別化を図り、使用者の満足度の向上、使い勝手の向上を図っているものがある（例えば、特許文献１参照）。このように、従来の炊飯器では、積極的に報知を行うことでわかりやすさ、使いやすさを追求している。
【特許文献１】特開２００２−１４２９７６号公報
【発明の開示】
【発明が解決しようとする課題】
【０００４】
しかしながら、使用者の使い方によっては必ずしも報知を必要としない場面もある。例えば、深夜の操作や早朝の予約炊飯などでは、報知することにより睡眠が妨げられてしまうため、使用者や周囲の方は煩わしさを感じ、不快感を覚えてしまうことがある。このような時に従来の炊飯器では、報知のパターンは変えられても、報知の有無を変更することができないため、使用者の使い勝手がよくないという問題があった。ただし、温度異常や電源異常など異常が発生した時には、使用者に早く知らせることが要求されるため、異常報知については必ず行う必要がある。
【０００５】
本発明は上記従来の課題を解決するもので、使用者が報知を必要としない時は、条件に応じて自動で異常報知を除く報知音をなくして、使用者の煩わしさを解消し、使用者に余計な手間をかけさせずに使い勝手を向上することを目的としている。
【課題を解決するための手段】
【０００６】
本発明は上記目的を達成するために、炊飯器本体内に米と水を入れる鍋を着脱自在に収納し、この鍋を鍋加熱手段により加熱し、操作手段により炊飯開始やコース選択などの情報を入力し、炊飯情報などを表示手段により表示するとともに、操作手段からの入力受付や炊飯終了、異常発生などを報知手段により報知し、操作手段からの入力に基づき鍋加熱手段や表示手段、報知手段を制御手段により制御するよう構成し、制御手段は、異常発生時以外の報知についての報知音の有無を条件に応じて自動で設定するように構成したものである。
【０００７】
これにより、使用者が報知を必要としない時には、条件に応じて自動で異常報知を除く報知音をなくすことができる。
【発明の効果】
【０００８】
本発明の炊飯器は、使用者が報知を必要としない時には、条件に応じて自動で異常報知を除く報知音をなくして、使用者の報知音による煩わしさを解消することができ、使用者に余計な手間をかけさせずに使い勝手を向上することができる。
【発明を実施するための最良の形態】
【０００９】
第１の発明は、炊飯器本体内に着脱自在に収納され米と水を入れる鍋と、前記鍋を加熱する鍋加熱手段と、炊飯開始やコース選択などの情報を入力する操作手段と、炊飯情報などを表示する表示手段と、前記操作手段からの入力受付や炊飯終了、異常発生などを報知する報知手段と、前記操作手段からの入力に基づき前記鍋加熱手段や前記表示手段、前記報知手段を制御する制御手段とを備え、前記制御手段は、異常発生時以外の報知についての報知音の有無を条件に応じて自動で設定するように構成したものであり、使用者が報知を必要としない時には、条件に応じて自動で異常報知を除く報知音をなくすことができるため、使用者の報知音による煩わしさを解消することができ、使用者に余計な手間をかけさせずに使い勝手を向上することができる。
【００１０】
第２の発明は、上記第１の発明において、制御手段は、炊飯終了時などの動作終了報知音の有無を条件に応じて自動で設定するようにしたものであり、早朝の予約炊飯時など、終了報知音により使用者や周囲の方の睡眠を妨げることなく、炊飯器を動作させることができるため、使用者の報知音による煩わしさを解消することができ、使用者に余計な手間をかけさせずに使い勝手を向上することができる。
【００１１】
第３の発明は、上記第１または第２の発明において、制御手段は、操作手段からの入力受付報知音の有無を条件に応じて自動で設定するようにしたものであり、深夜の操作時など、キーの受付音により使用者や周囲の方の睡眠を妨げることなく、炊飯器を動作させることができるため、使用者の報知音による煩わしさを解消することができ、使用者に余計な手間をかけさせずに使い勝手を向上することができる。
【００１２】
第４の発明は、上記第１〜３のいずれか１つの発明において、制御手段は、時刻により報知音の有無を自動で設定するようにしたものであり、夜から朝にかけてなど使用者が静けさを求める状況を時刻から自動で判断し、報知音をなくすことができるため、使用者に手間をかけさせず、かつ使用者や周囲の方へ不快感を与えることなく、炊飯器を動作させることができ、使い勝手を向上することができる。
【００１３】
第５の発明は、上記第４の発明において、記憶手段を備え、制御手段は、報知音をなくす時刻の条件を複数記憶できるようにしたものであり、夜から朝にかけてだけでなく、子供が昼寝する時間など使用者の生活パターンに合わせ、使用者が静けさを求める時刻を複数設定しておけば、毎日その間の報知音をなくすことができるため、使用者の生活パターンに柔軟に対応するとともに、都度設定し直すという手間をかけさせずに炊飯器を動作させることができ、使い勝手を向上することができる。
【００１４】
第６の発明は、上記第１〜５のいずれか１つの発明において、明度検知手段を備え、制御手段は、前記明度検知手段により検知した明度を基に報知音の有無を自動で設定するようにしたものであり、夜から朝にかけてなど使用者が静けさを求める状況を周囲の明るさから自動で判断し、報知音をなくすことができるため、使用者に手間をかけさせず、かつ使用者や周囲の方へ不快感を与えることなく、炊飯器を動作させることができ、使い勝手を向上することができる。
【００１５】
第７の発明は、上記第１〜６のいずれか１つの発明において、制御手段は、報知音なしの設定の場合、報知するタイミングになった時に報知音の代わりに所定の表示を行うように表示手段を制御するようにしたものであり、報知音により使用者や周囲の方へ煩わしさや不快感を与えることなく、かつ周囲にいる時にはＬＥＤやＬＣＤの表示で炊飯終了などを視覚的に確認することができ、使い勝手を向上することができる。
【００１６】
第８の発明は、上記第１〜７のいずれか１つの発明において、制御手段は、報知音なしの設定の時には、その旨を表示するように表示手段を制御するようにしたものであり、報知音なしの設定となっている場合に、使用者が報知音がないことで故障ではないかと不安に思ったり、困惑したりすることをなくすことができ、使い勝手を向上することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における炊飯器のブロック図を示し、図２は、同炊飯器の断面図を示し、図３は、同炊飯器の表示操作部を示すものである。
【００１９】
図１および図２に示すように、炊飯器本体１６は、米と水を入れる鍋１を着脱自在に収納し、鍋１を加熱する加熱コイル１５を有する。鍋１は、ステンレス、鉄などの磁性体によって形成しており、加熱コイル１５は、保護枠１７の底面外側に配設した内コイル１３と、その外周上に配設された外コイル１４とからなり、制御基板１８上に構成した加熱コイル１５に高周波電流を供給するインバータ１２と併せて、鍋加熱手段２を構成している。加熱コイル１５はインバータ１２により供給された高周波電流により交番磁界を発生し、この交番磁界で鍋１を誘導加熱する。
【００２０】
図３は、使用者によるキー操作待ちの状態を表している。操作手段４は、炊飯コースを選択するコースキー２３、炊き上がり時刻や予約炊飯コースなどの予約炊飯を設定する状態にする予約キー２４、選択したコースで炊飯を開始したり、予約情報など設定した情報を確定する炊飯キー２０、保温を開始する保温キー２２、炊飯や保温、各設定状態を解除する切キー２１、現在時刻や予約炊き上がり時刻などの設定時に設定時刻の時桁を変更する時キー２９、分桁を変更する分キー３０などで構成している。
【００２１】
表示手段５は、選択コースや炊飯残時間などの炊飯情報や現在時刻を表示して知らせるＬＣＤ２５、炊飯中であることを点灯して知らせる炊飯ＬＥＤ２６、保温中であることを点灯して知らせる保温ＬＥＤ２７、予約炊飯開始待ち状態であることを知らせる予約ＬＥＤ２８など現在の動作状態をお知らせするＬＥＤで構成している。
【００２２】
報知手段６は、ブザー（図示せず）で構成し、操作手段４からの入力受付や炊飯終了、異常発生などを報知するものである。
【００２３】
制御手段３は、マイクロコンピュータで構成している。制御手段３は、選択コースや予約情報など設定した情報に基づき炊飯を行うように鍋加熱手段２を制御して加熱出力を制御したり、表示手段５であるＬＣＤ２５や各ＬＥＤ、報知手段６であるブザーを制御するものである。
【００２４】
記憶手段７は、マイクロコンピュータ内のＲＡＭに相当し、報知音をなくす時刻を記憶するものである。明度検知手段８は、光センサ（図示せず）で構成し、周囲の明るさを検知して、制御手段３に入力するものである。
【００２５】
ここで、制御手段３は、異常発生時以外の報知についての報知音、例えば、炊飯終了時などの動作終了報知音、操作手段からの入力受付報知音などの有無を条件に応じて自動で設定するように構成し、自動設定に際して時刻により報知音の有無を自動で設定するようにしている。
【００２６】
上記構成において、図４の動作フローチャートを参照しながら動作、作用を説明する。
【００２７】
使用者によるキー操作待ちの状態で、まず、ステップＳ１で炊飯キー２０が押されたかどうかを確認する。炊飯キー２０が押されていれば、ステップＳ２で受付報知音の有無の条件を確認する。ここでは、現在時刻が夜の２２時から朝の７時の間であるかを確認し、その時間範囲外であれば、ステップＳ３で受付報知を行って、ステップＳ４で炊飯を開始する。その時間範囲内であれば、そのままステップＳ４へ移行し、受付報知なしで炊飯を開始する。
【００２８】
ステップＳ１で炊飯キー２０が押されていなければ、ステップＳ１２でコースキー２３が押されたかどうかを確認する。コースキー２３が押されていなければ、ステップＳ１へ戻り、キー操作の待ち状態を継続する。
【００２９】
ステップＳ１２でコースキー２３が押されると、ステップＳ１３で現在時刻が夜の２２時から朝の７時の間であるかを確認し、その時間範囲外であれば、ステップＳ１４で受付報知を行って、Ｓ１５のコース選択状態となる。その時間範囲内であれば、受付報知なしでそのままＳ１５のコース選択状態となる。そして、ステップＳ１へ戻り、キー操作の待ち状態となる。
【００３０】
ステップＳ４で炊飯を開始すると、ステップＳ５で温度センサの検知に異常がないか、電源に異常がないかなどの異常検知を行いながら、炊飯を進めていく。もし、異常が確認できれば、ステップＳ１０で異常報知を行い、ステップＳ１１で異常終了となる。異常終了の場合は、早急に使用者にお知らせする必要があることから終了報知音の有無の条件に関わらず必ず報知することとする。
【００３１】
炊飯中に異常がなければ、ステップＳ６で炊飯終了となるまで炊飯を継続する。炊飯が正常に終了すると、ステップＳ７で終了報知音の有無の条件を確認する。ここでは、現在時刻が夜の２２時から朝の７時の間であるかを確認し、その時間範囲外であれば、ステップＳ８で終了報知を行って、ステップＳ９の保温状態となる。その時間範囲内であれば、終了報知なしで保温状態となる。
【００３２】
ちなみに、終了報知音なしの条件を満たすと、通常炊飯終了時、予約炊飯終了時、保温中の再加熱終了時など、異常終了以外の終了報知音がすべてなしとなる。また、受付報知音なしの条件を満たすと、炊飯キー２０や切キー２１、コースキー２３など全てのキー受付報知音がなしとなる。
【００３３】
以上のように、本実施の形態においては、異常発生時以外の報知についての報知音の有無を条件に応じて自動で設定するようにすることにより、使用者が報知を必要としない時には、条件に応じて自動で異常報知を除く報知音をなくすことができるため、使用者の報知音による煩わしさを解消することができ、使用者に余計な手間をかけさせずに使い勝手を向上することができる。
【００３４】
特に、炊飯終了時などの動作終了報知音や操作手段４からの入力受付報知音の有無を自動で設定できるようにすることにより、早朝の予約炊飯時や深夜の操作時など使用者が静けさを求める状況を自動で判断し、報知音をなくすことができるため、使用者の報知音による煩わしさを解消することができ、使用者に余計な手間をかけさせずに使い勝手を向上することができる。
【００３５】
また、時刻により報知音の有無を自動で設定するようにすることにより、夜から朝にかけてなど使用者が静けさを求める状況を時刻から自動で判断し、報知音をなくすことができるため、使用者に手間をかけさせず、かつ使用者や周囲の方へ不快感を与えることなく、炊飯器を動作させることができ、使い勝手を向上することができる。
【００３６】
なお、本実施の形態では、終了報知音なしの条件を満たせば、異常終了以外のすべての終了報知音をなくし、受付報知音なしの条件を満たせば、すべてのキー受付報知音をなくすとしたが、これは特定の報知音のみ対象としてもよい。
【００３７】
（実施の形態２）
図１に示す制御手段３は、報知音をなくす時刻の条件を記憶手段７に複数記憶できるようにしている。他の構成は上記実施の形態１と同じである。
【００３８】
上記構成において図５の動作フローチャート、図６のユーザー設定モードの表示を参照しながら動作、作用を説明する。なお、図５のステップＳ１からステップＳ１５の動作は、上記実施の形態１の動作と同じであるので説明を省略する。
【００３９】
まず、記憶手段７への記憶方法について説明する。ステップＳ１５でコース選択状態になると、ステップＳ１６で早炊きコースが選択されているかどうかを確認する。早炊きコースが選択されていなければ、コース選択状態のままステップＳ１へ戻る。早炊きコースが選択されていれば、ステップＳ１７で所定のキー操作が行われたかどうかを確認する。ここでいう所定のキー操作とは、本実施の形態では、保温キー２２、予約キー２４、保温キー２２の連続押しの操作のことをいう。もし、所定のキー操作が行われていれば、ステップＳ１８で報知音をなくす時刻を設定することができるユーザー設定モードへ移行する。
【００４０】
ユーザー設定モードに入ると、まずユーザー設定番号の選択状態になる（図６（ａ）（ｂ）参照。初期値は「０１」）。本実施の形態では、ユーザー設定番号「０１」が報知音なしとなる第１の時間範囲を設定する第１時間設定、「０２」が報知音なしとなる第２の時間範囲を設定する第２時間設定とする。ユーザー設定番号は、コースキー２３により変更する。ユーザー設定番号を選択し、炊飯キー２０を押すと、ユーザー設定番号に対応したユーザー設定モード（「０１」の場合、第１時間設定モード、「０２」の場合、第２時間設定モード）に移行する。各ユーザー設定モードに入ると、開始時刻設定状態になり、記憶している各設定時間範囲の開始時刻と「開始」のキャラクタをＬＣＤに表示する（初期値は「２２：００」。図６（ｃ）参照）。
【００４１】
時間設定の変更は、時キー２９、分キー３０で行う。時キー２９で、時間桁を＋１時間、分キー３０で分桁を＋１０分ずつ変更する。また、設定時間範囲の開始時刻と終了時刻の切り替えは、コースキー２３で行う。開始時刻設定状態でコースキー２３を押すと、終了時刻設定状態（設定時間範囲の終了時刻と「終了」のキャラクタをＬＣＤに表示する。初期値は「７：００」。図６（ｄ）参照）となり、終了時刻設定状態でコースキー２３を押すと、開始時刻設定状態となる。
【００４２】
設定を変更し、そのまま何も操作せず所定の時間（本実施の形態では４秒）が経過すると、ＬＣＤに「完了」キャラクタが表示され、その時点で変更した設定が有効となり、記憶手段７に記憶される。この時、ＬＣＤに「完了」が表示された状態で、まず開始時刻が２秒、続いて終了時刻が２秒表示される。（図６（ｅ）（ｆ）参照）。その後は、ステップＳ１のキー操作待ち状態に戻るが、「完了」表示中に切キー２１を押しても、同様の動作となる。ただし、「完了」が表示される前に切キー２１を押して、ユーザー設定モードを終了すると、変更した設定は有効にならず（記憶手段７に記憶されず）、前の設定のままとなる。
【００４３】
このように、ユーザー設定モードで設定された時間は、ステップＳ１９やステップＳ２１のキー受付時、ステップＳ２０の炊飯終了時に報知音の有無の判定に使用され、該当ステップ時に第１設定時間または第２設定時間範囲内であれば、報知音を鳴らさずに動作する。
【００４４】
また、設定された時間は、記憶手段７に記憶されているため、炊飯するたびに時間を設定する必要はない。
【００４５】
以上のように、本実施の形態においては、報知音をなくす時刻の条件を複数記憶できるようにすることにより、夜から朝にかけてだけでなく、子供が昼寝する時間など使用者の生活パターンに合わせ、使用者が静けさを求める時刻を複数設定しておけば、毎日その間の報知音をなくすことができるため、使用者の生活パターンに柔軟に対応するとともに、都度設定し直すという手間をかけさせずに炊飯器を動作させることができ、使い勝手を向上することができる。
【００４６】
なお、本実施の形態では、設定できる時間（記憶できる時間）は２つとしたが、記憶容量が許す範囲であればいくつであってもよい。
【００４７】
（実施の形態３）
図１に示す制御手段３は、明度検知手段８により検知した明度を基に報知音の有無を自動で設定するようにしている。他の構成は上記実施の形態１と同じである。
【００４８】
上記構成において図７の動作フローチャートを参照しながら動作、作用を説明する。なお、図７のステップＳ１からステップＳ１５の動作は、上記実施の形態１の動作と同じであるので説明を省略する。
【００４９】
ステップＳ１で炊飯キー２０が押されると、ステップＳ２２で受付報知音の有無の条件を確認する。ここでは、明度検知手段８である光センサにより検知した明度を確認し、その明度が基準よりも高い、つまり周囲が明るいと判定されると、ステップＳ３で受付報知を行って、ステップＳ４で炊飯を開始する。明度が基準よりも低い、つまり周囲が暗いと判定されると、そのままステップＳ４へ移行し、受付報知なしで炊飯を開始する。
【００５０】
同様に、ステップＳ１２でコースキー２３が押されると、ステップＳ２４で明度検知手段８である光センサにより検知した明度を確認し、その明度が基準よりも高い、つまり周囲が明るいと判定されると、ステップＳ１４で受付報知を行って、Ｓ１５のコース選択状態となる。明度が基準よりも低い、つまり周囲が暗いと判定されると、受付報知なしでそのままＳ１５でコース選択状態となる。そして、ステップＳ１へ戻り、キー操作の待ち状態となる。
【００５１】
また、炊飯が正常に終了する時にも、ステップＳ２３で明度検知手段８である光センサにより検知した明度を確認し、その明度が基準よりも高い、つまり周囲が明るいと判定されると、ステップＳ８で終了報知を行って、ステップＳ９の保温状態となる。明度が基準よりも低い、つまり周囲が暗いと判定されると、終了報知なしで保温状態となる。
【００５２】
以上のように、本実施の形態においては、明度検知手段８により検知した明度を基に報知音の有無を自動で設定するようにすることにより、夜から朝にかけてなど使用者が静けさを求める状況を周囲の明るさから自動で判断し、報知音をなくすことができるため、使用者に手間をかけさせず、かつ使用者や周囲の方へ不快感を与えることなく、炊飯器を動作させることができ、使い勝手を向上することができる。
【００５３】
なお、本実施の形態では、明度検知手段８として光センサを用いたが、これは周囲の明るさを検知できるものであれば、何でもよい。
【００５４】
また、本実施の形態では、明度の高低を判定するための基準値を固定のものとして用いたが、これは使用者が変更できるようにしてもよい。
【００５５】
（実施の形態４）
図１に示す制御手段３は、報知音なしの設定の場合、報知するタイミングになった時に報知音の代わりに所定の表示を行うように表示手段５を制御するようにしている。他の構成は上記実施の形態１と同じである。
【００５６】
上記構成において図８の動作フローチャート、図９の報知タイミング時のＬＣＤ表示を参照しながら動作、作用を説明する。なお、図８のステップＳ１からステップＳ１５の動作は、上記実施の形態１の動作と同じであるので説明を省略する。
【００５７】
まず、炊飯キー２０の受付時について説明する。ステップＳ１で炊飯キー２０が押されると、ステップＳ２で受付報知音の有無の条件を確認する。ここでは、現在時刻が夜の２２時から朝の７時の間であるかを確認し、その時間範囲外であれば、ステップＳ３で受付報知を行って、ステップＳ４で炊飯を開始する。その時間範囲内であれば、ステップＳ２５で、図９に示すように、報知を意味するキャラクタ（本実施の形態では、スピーカー）を１秒間表示するとともに、炊飯ＬＥＤ２６を３回点滅させて（本実施の形態では、ＬＥＤの点滅は、１．０秒点灯、０．５秒消灯で１回とする）、炊飯を開始する。
【００５８】
つぎに、コースキー２３の受付時について説明する。ステップＳ１２でコースキー２３が押されると、ステップＳ１３で受付報知音の有無の条件を確認する。ここでは、現在時刻が夜の２２時から朝の７時の間であるかを確認し、その時間範囲外であれば、ステップＳ１４で受付報知を行って、ステップＳ１５のコース選択状態となる。その時間範囲内であれば、ステップＳ２７で、図９に示すように、報知を意味するキャラクタ（本実施の形態では、スピーカー）を１秒間表示してステップＳ１５のコース選択状態となる。そして、コース選択状態の間は、炊飯ＬＥＤ２６を点滅させる。
【００５９】
つぎに、炊飯終了時について説明する。ステップＳ６で炊飯が終了すると、ステップＳ７で終了報知音の有無の条件を確認する。ここでは、現在時刻が夜の２２時から朝の７時の間であるかを確認し、その時間範囲外であれば、ステップＳ８で終了報知を行って、ステップＳ９の保温状態となる。その時間範囲内であれば、ステップＳ２６で、図９に示すように、報知を意味するキャラクタ（本実施の形態では、スピーカー）を５秒間表示すると共に、炊飯ＬＥＤ２６を５回点滅させて保温状態となる。
【００６０】
以上のように、本実施の形態においては、報知音なしの設定の場合、報知するタイミングになった時に報知音の代わりに所定の表示を行うようにすることにより、報知音により使用者や周囲の方へ煩わしさや不快感を与えることなく、かつ周囲にいる時にはＬＥＤやＬＣＤの表示で炊飯終了などを視覚的に確認することができ、使い勝手を向上することができる。
【００６１】
（実施の形態５）
図１に示す制御手段３は、報知音なしの設定の時には、その旨を表示するように表示手段５を制御するようにしている。他の構成は上記実施の形態１と同じである。
【００６２】
上記構成において図１０の報知音なしの設定の時のＬＣＤ表示を参照しながら動作、作用を説明する。
【００６３】
本実施の形態では、炊飯器は常に報知音の有無の条件を確認する。ここでは、現在時刻が夜の２２時から朝の７時の間であるかを確認し、その時間範囲内であれば、図１０に示すようにキー操作待ち状態や炊飯中などに「終了及び受付報知音なし」を意味する表示を行う。
【００６４】
以上のように、本実施の形態においては、報知音なしの設定の時には、その旨を表示するようにすることにより、報知音なしの設定となっている場合に、使用者が報知音がないことで故障ではないかと不安に思ったり、困惑したりすることをなくすことができ、使い勝手を向上することができる。
【産業上の利用可能性】
【００６５】
以上のように、本発明にかかる炊飯器は、使用者が報知を必要としない時には、条件に応じて自動で異常報知を除く報知音をなくして、使用者の報知音による煩わしさを解消することができ、使用者に余計な手間をかけさせずに使い勝手を向上することができるので、操作手段からの入力受付や炊飯終了などを報知する機能を有する炊飯器として有用である。
【図面の簡単な説明】
【００６６】
【図１】本発明の実施の形態１における炊飯器のブロック図
【図２】同炊飯器の断面図
【図３】同炊飯器の表示操作部を示す図
【図４】同炊飯器の動作フローチャート
【図５】本発明の実施の形態２における炊飯器の動作フローチャート
【図６】（ａ）同炊飯器のユーザー設定番号「０１」選択状態を示す図（ｂ）同炊飯器のユーザー設定番号「０２」選択状態を示す図（ｃ）同炊飯器の報知音なしとなる条件の開始時刻設定状態を示す図（ｄ）同炊飯器の報知音なしとなる条件の終了時刻設定状態を示す図（ｅ）同炊飯器の報知音なし条件設定完了時の開始時刻表示状態を示す図（ｆ）同炊飯器の報知音なし条件設定完了時の終了時刻表示状態を示す図
【図７】本発明の実施の形態３における炊飯器の動作フローチャート
【図８】本発明の実施の形態４における炊飯器の動作フローチャート
【図９】同炊飯器の報知タイミング時のＬＣＤ表示を示す図
【図１０】本発明の実施の形態５における報知音なし設定時のＬＣＤ表示を示す図
【符号の説明】
【００６７】
１  鍋
２  鍋加熱手段
３  制御手段
４  操作手段
５  表示手段
６  報知手段
１６  炊飯器本体
【図１】
2009106407.tif 000003
【図２】
2009106407.tif 000004
【図３】
2009106407.tif 000005
【図４】
2009106407.tif 000006
【図５】
2009106407.tif 000007
【図６】
2009106407.tif 000008
【図７】
2009106407.tif 000009
【図８】
2009106407.tif 000010
【図９】
2009106407.tif 000011
【図１０】
2009106407.tif 000012